【手続補正書】
【提出日】平成19年1月31日(2007.1.31)
【手続補正１】
【補正対象書類名】明細書
【補正対象項目名】特許請求の範囲
【補正方法】変更
【補正の内容】
【特許請求の範囲】
【請求項１】  複数の形状記憶ワイヤを備えたデバイスであって、これら複数の形状記憶ワイヤは、互いに織られることで、生体構造への移植に適したボディーを形成しており、
該ボディーは第１および第２の端部を有し、該複数の形状記憶ワイヤは互いに交差することで複数の角度を形成しており、これら角度のうち少なくとも１つは鈍角であり、少なくとも１つの形状記憶ワイヤの両端は、該ボディーの一方の側の端部に位置し、
該少なくとも１つの鈍角の値は、該ボディーを軸方向に圧縮することによって増加することができるデバイス。
【請求項２】  該形状記憶ワイヤがニチノールを含む請求項１に記載のデバイス。
【請求項３】  該形状記憶ワイヤがＦｅＰｔ、ＦｅＰｄまたはＦｅＮｉＣｏＴｉを含む請求項１に記載のデバイス。
【請求項４】  該形状記憶ワイヤがＦｅＮｉＣ、ＦｅＭｎＳｉまたはＦｅＭｎＳｉＣｒＮｉを含む請求項１に記載のデバイス。
【請求項５】  該形状記憶ワイヤが、各々０．００６インチ〜０．０１２インチのサイズの範囲の直径を有する請求項１に記載のデバイス。
【請求項６】  該複数の形状記憶ワイヤが少なくとも６つの形状記憶ワイヤを含む請求項１に記載のデバイス。
【請求項７】  該ボディーが実質的に均一な直径を持つ管状形状を有する請求項１に記載のデバイス。
【請求項８】  該ボディーが、該ボディーの一端から該ボディーの他端への方向に向かって減少する直径を持つテーパー付き形状を有する請求項１に記載のデバイス。
【請求項９】  該ボディーが略砂時計形状を有する請求項１に記載のデバイス。
【請求項１０】  該ボディーが手で織られた請求項１に記載のデバイス。
【請求項１１】  該ボディーが機械で織られた請求項１に記載のデバイス。
【請求項１２】  該ボディーに付着した移植片材料をさらに備えた請求項１に記載のデバイス。
【請求項１３】  該移植片材料がポリエステル織物を含む請求項１２に記載のデバイス。
【請求項１４】  該移植片材料がダクロンを含む請求項１２に記載のデバイス。
【請求項１５】  該移植片材料がポリウレタンを含む請求項１２に記載のデバイス。
【請求項１６】  該移植片材料がＰＴＦＥを含む請求項１２に記載のデバイス。
【請求項１７】  該移植片材料が該ボディーを部分的に被覆する請求項１２に記載のデバイス。
【請求項１８】  ガイドワイヤを受け取る形状の第１のチューブと、該第１のチューブに嵌合する形状の第２のチューブとをさらに備えた請求項１に記載のデバイス。
【請求項１９】  該第２のチューブが該第１のチューブを覆うように置かれ、該ボディーの一端が該第１のチューブに固定され、該ボディーの他端が該第２のチューブに固定された請求項１８に記載のデバイス。
【請求項２０】  生体構造への移植に適したボディーを備えたデバイスであって、
該ボディーは第１の端部と第２の端部を有し、且つ少なくともｎの形状記憶ワイヤによって規定されており、ｎは１より大であり、該ｎの形状記憶ワイヤは、該ボディーが第１の部分を含むように配置され、該第１の部分は第１の織物部分と少なくとも１つの支柱とを含み、この第１の織物部分の複数の形状記憶ワイヤは互いに交差することで複数の角度を形成しており、これら角度のうちの少なくとも１つは鈍角であり、少なくとも１つの形状記憶ワイヤの両端は該ボディーの一方の側の端部に位置し、
該少なくとも１つの鈍角の値は、該ボディーを軸方向に圧縮することによって増加することができるデバイス。
【請求項２１】  該形状記憶ワイヤがニチノールを含む請求項２０に記載のデバイス。
【請求項２２】  該形状記憶ワイヤがＦｅＰｔ、ＦｅＰｄまたはＦｅＮｉＣｏＴｉを含む請求項２０に記載のデバイス。
【請求項２３】  該形状記憶ワイヤがＦｅＮｉＣ、ＦｅＭｎＳｉまたはＦｅＭｎＳｉＣｒＮｉを含む請求項２０に記載のデバイス。
【請求項２４】  該ボディーが、さらに、該第１の部分に隣接した第２の部分を含み、該第２の部分が第２の織物部分を含み、該第２の部分はｎ＋ｘの形状記憶ワイヤを有し、ｘは少なくとも１である請求項２０に記載のデバイス。
【請求項２５】  該第１の部分が、複数の第１の支柱によって第２の織物部分から分離された第１の織物部分を含む請求項２０に記載のデバイス。
【請求項２６】  該第１の部分が略ドーム形状を有する請求項２５に記載のデバイス。
【請求項２７】  該第１の織物部分が略ドーム形状を有しており、複数の第１の支柱がわずかに曲がることで、生体構造内のボディーの自己アンカリング能力を増加させる請求項２５に記載のデバイス。
【請求項２８】  該第１の部分が、さらに、複数の第２の支柱によって第２の織物部分から分離された第３の織物部分を含み、該第１および第３の織物部分は略ドーム形状を有する請求項２５に記載のデバイス。
【請求項２９】  該ボディーに付着した移植片材料をさらに備えた請求項２０に記載のデバイス。
【請求項３０】  該移植片材料がポリエステル織物を含む請求項２９に記載のデバイス。
【請求項３１】  該移植片材料がダクロンを含む請求項２９に記載のデバイス。
【請求項３２】  該移植片材料がポリウレタンを含む請求項２９に記載のデバイス。
【請求項３３】  該移植片材料がＰＴＦＥを含む請求項２９に記載のデバイス。
【請求項３４】  該移植片材料が該ボディーを部分的に被覆する請求項２９に記載のデバイス。
【請求項３５】  ガイドワイヤを受け取る形状の第１のチューブと、該第１のチューブに嵌合する形状の第２のチューブとをさらに備えた請求項２０に記載のデバイス。
【請求項３６】  該第２のチューブが該第１のチューブを覆うように置かれ、該ボディーの一端が該第１のチューブに固定され、該ボディーの他端が該第２のチューブに固定された請求項３５に記載のデバイス。
【請求項３７】  複数の生分解性フィラメントを備えたデバイスであって、これら複数の生分解性フィラメントは、互いに織られることで、生体構造への移植に適した自己膨張ボディーを形成しており、
該自己膨張ボディーは第１および第２の端部を有し、該生分解性フィラメントは互いに交差することで複数の角度を形成しており、これら角度のうちの少なくとも１つは鈍角であり、少なくとも１つの生分解性フィラメントの両端は、該自己膨張ボディーの一方の側の端部に位置し、
該少なくとも１つの鈍角の値は、該自己膨張ボディーを軸方向に圧縮することによって増加することができるデバイス。
【請求項３８】  生体構造への移植に適した２つの端部を有するボディーの製造方法であって、
形状記憶ワイヤを複数の形状記憶ワイヤ中で曲げて、該形状記憶ワイヤ中に複数のベント部分を生じさせる工程であって、これらベント部分は該ボディーの一端を規定するように配置され、各形状記憶ワイヤは２つの端部を有する工程と、
該複数の形状記憶ワイヤの端部を織って該ボディーを形成する工程であって、これら形状記憶ワイヤが互いに交差することで複数の角度を形成し、これら角度のうちの少なくとも１つは鈍角である工程と
を含んでなり、少なくとも１つの鈍角の値は、該ボディーを軸方向に圧縮することによって増加することができる製造方法。
【請求項３９】  該ベント部分が屈曲である請求項３８に記載の方法。
【請求項４０】  該ベンド部分がループである請求項３８に記載の方法。
【請求項４１】  該形状記憶ワイヤがニチノールを含む請求項３８に記載の方法。
【請求項４２】  該形状記憶ワイヤがＦｅＰｔ、ＦｅＰｄまたはＦｅＮｉＣｏＴｉを含む請求項３８に記載の方法。
【請求項４３】  形状記憶ワイヤがＦｅＮｉＣ、ＦｅＭｎＳｉまたはＦｅＭｎＳｉＣｒＮｉを含む請求項３８に記載の方法。
【請求項４４】  該形状記憶ワイヤが、各々０．００６インチ〜約０．０１２インチのサイズの範囲の直径を有する請求項３８に記載の方法。
【請求項４５】  該複数の形状記憶ワイヤが少なくとも６つの形状記憶ワイヤを含む請求項３８に記載の方法。
【請求項４６】  該ボディーが実質的に均一な直径を持つ管状形状を有する請求項３８に記載の方法。
【請求項４７】  該ボディーが、該ボディーの一端から該ボディーの他端への方向に向かって減少する直径を持つテーパー付きの形状を有する請求項３８に記載の方法。
【請求項４８】  該ボディーが略砂時計形状を有する請求項３８に記載の方法。
【請求項４９】  該製織が手による請求項３８に記載の方法。
【請求項５０】  該製織が機械による請求項３８に記載の方法。
【請求項５１】  第１の鋳型突起を有する鋳型を備えた製織システムを準備する工程と、
該第１の鋳型突起にそって該形状記憶ワイヤを曲げて、該形状記憶ワイヤ中に該ベント部分を生じさせる工程と
をさらに含んでなる請求項３８に記載の方法。
【請求項５２】  該第１の鋳型突起がタブを含む請求項５１に記載の方法。
【請求項５３】  該第１の鋳型突起がピンを含む請求項５１に記載の方法。
【請求項５４】  該ピンが、該鋳型と係合したリングに付着した請求項５３に記載の方法。
【請求項５５】  該製織システムが、さらに、製織の間に第１の方向に回転する形状の第１の製織プレートを備えている請求項５１に記載の方法。
【請求項５６】  該製織システムが、さらに、該第１の製織プレート上に配置された第１のボビンを備えており、各形状記憶ワイヤの一端を製織に先立って各第１のボビンに付着させる請求項５５に記載の方法。
【請求項５７】  該製織システムが、さらに、製織の間に第２の方向に回転する形状の第２の製織プレートを備えており、この第２の製織プレートは該第１の製織プレートから間隔をあけて設けられている請求項５５に記載の方法。
【請求項５８】  該製織システムが、さらに、該第２の製織プレート上に配置された第２のボビンを備えており、各形状記憶ワイヤの一端を製織に先立って各第２のボビンに付着させる請求項５７に記載の方法。
【請求項５９】  さらに、形状記憶ワイヤを鋳型に固定する工程を含む請求項５１に記載の方法。
【請求項６０】  さらに、形状記憶ワイヤの端部によって閉じた構造を形成する工程を含み、該閉じた構造は該ボディーの他端を規定するように配置する請求項５１に記載の方法。
【請求項６１】  さらに、該ボディーおよび該鋳型を加熱する工程を含む請求項５１に記載の方法。
【請求項６２】  ２つの端部を有する軸方向および径方向に膨張可能な織物ボディーを生体構造に搬送するためのデバイスであって、
ガイドワイヤを受け取る形状の第１のチューブと、
該第１のチューブに嵌合する形状の第２のチューブと
を備えており、これらチューブが軸方向および径方向に膨張可能な織物ボディーを搬送するのに使用される場合、該軸方向および径方向に膨張可能な織物ボディーの一端が該第１のチューブの外側に固定され、該軸方向および径方向に膨張可能な織物ボディーの他端が該第２のチューブの外側に固定されるデバイス。
【請求項６３】  さらに、該第１のチューブ内に置かれるように構成されたガイドワイヤを備えた請求項６２に記載のデバイス。
【請求項６４】  さらに、該第１のチューブを該第２のチューブに固定するように構成された押しボタン解放／ロックメカニズムを備えた請求項６２に記載のデバイス。
【請求項６５】  さらに、サイドアームを有する端部嵌め合いを備えており、該端部嵌め合いは該第１のチューブに固定されるように構成された請求項６２に記載のデバイス。
【請求項６６】  ２つの端部を有する軸方向および径方向に膨張可能な織物ボディーを搬送するためのデバイスであって、
ガイドワイヤを受け取る形状の第１のチューブであって、該第１のチューブは該第１のチューブの一方の側の端部に位置した少なくとも１対の第１のチューブホールを有する第１のチューブと、
該第１のチューブに嵌合する形状の第２のチューブであって、該第２のチューブは該第２のチューブの一方の側の端部に位置する少なくとも１対の第２のチューブホールを有する第２のチューブと、
該少なくとも１対の第１のチューブホールを通じて螺合する形状の第１の固定ワイヤと、
該少なくとも１対の第２のチューブホールを通じて螺合する形状の第２の固定ワイヤと
を備えており、これらチューブが軸方向および径方向に膨張可能な織物ボディーを搬送するのに用いられる場合、該軸方向および径方向に膨張可能な織物ボディーの一端は該第１の固定ワイヤで該第１のチューブの外側に固定され、該軸方向および径方向に膨張可能な織物ボディーの他端は該第２の固定ワイヤで該第２のチューブの外側に固定されるデバイス。